【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
歯科組織の領域を除去するための歯科レーザシステムであって、前記システムは、
レーザビームの複数の単一レーザパルスを生成するためのレーザ源と、
複数の当接クレータを形成するために、前記歯科組織の領域内の組織場所のパターンで、前記レーザビームの単一レーザパルスを各個別の組織場所に指向するように適合されるビーム誘導システムであって、前記当接クレータは、（ｉ）部分的に重複するクレータの対と、（ｉｉ）接線クレータの対と、（ｉｉｉ）規定された最大距離まで分離される離間クレータの対とのうちの少なくとも１つを含む、システムと、
前記パターンが、前記歯科組織の融解に対応する熱緩和時間に少なくとも部分的に基づいて選択される非隣接組織場所のシーケンスを含み、かつ、前記パターンが、前記レーザビームの幅、前記レーザビームのパルスあたりのエネルギー、および前記組織の特性に少なくとも部分的に基づいて判定されるクレータサイズおよび前記複数の当接クレータの所望される平滑度の関数であるように、前記レーザ源および前記ビーム誘導システムを制御するように適合されるコントローラと
を備える、システム。
【請求項２】
前記ビーム誘導システムは、
第１のクレータを形成するために、前記複数の単一レーザパルスのうちの第１の単一レーザパルスを第１の組織場所に指向し、
前記第１のクレータに当接しない第２のクレータを形成するために、前記複数の単一レーザパルスのうちの次の単一レーザパルスを第２の組織場所に指向するように適合される、請求項１に記載のシステム。
【請求項３】
前記ビーム誘導システムは、付加的な個別のクレータを形成するために、付加的な単一レーザパルスを付加的な個別の組織場所に指向するようにさらに適合され、連続する付加的な組織場所の任意の対間の距離は、前記第１の組織場所と前記第２の組織場所との間の距離の±２５％の範囲内である、請求項２に記載のシステム。
【請求項４】
前記当接クレータは、（ｉ）３つの部分的に重複するクレータと、（ｉｉ）３つの接線クレータと、（ｉｉｉ）規定された最大距離まで分離される３つの離間クレータとのうちの少なくとも１つをさらに含む、請求項１に記載のシステム。
【請求項５】
歯科組織の領域を除去するための歯科レーザシステムであって、前記システムは、
レーザビームの複数の単一レーザパルスを生成するためのレーザ源と、
ビーム誘導システムであって、
前記歯科組織の領域内の組織場所のパターンで、第１の単一レーザパルスを第１の組織場所に指向し、
前記パターンで、少なくとも１つの付加的な単一レーザパルスを少なくとも１つの付加的な非隣接組織場所に指向し、
前記パターンで、次の単一レーザパルスを、前記第１の組織場所に隣接する組織場所に指向するように適合される、ビーム誘導システムと
を備え、
付加的な非隣接組織場所の数量およびシーケンスは、（ｉ）前記歯科組織の融解に対応する熱緩和時間と、（ｉｉ）前記レーザパルスの特性と、（ｉｉｉ）以前に処置された組織場所の前記パターンでの全ての組織場所のうちの個別の場所とに少なくとも部分的に基づいて判定される、システム。
【請求項６】
前記第１の単一レーザパルスの特性は、（ｉ）レーザパルス期間と、（ｉｉ）レーザパルスのオン持続時間と、（ｉｉｉ）周波数とから成る群から選択される、請求項５に記載のシステム。
【請求項７】
前記付加的な非隣接組織場所の数量は、最大１０である、請求項５に記載のシステム。
【手続補正２】
【補正対象書類名】明細書
【補正対象項目名】００１９
【補正方法】変更
【補正の内容】
【００１９】
種々の実施形態では、第１のレーザパルスバーストの特性は、レーザパルス期間、レーザパルスのオン持続時間、バースト周波数、および／またはバーストオン持続時間である。付加的な非隣接組織場所の数量は、最大１０（またはそれを上回るもの）であり得、例えば、１であり得る。いくつかの場合では、第１のレーザパルスバーストおよび／または次のレーザパルスバーストは、単一のレーザパルスから成る。他の場合では、第１のレーザパルスバーストおよび／または次のレーザパルスバーストは、複数のレーザパルスを含む。少なくとも１つの付加的なレーザパルスバーストの合計時間は、熱緩和時間に略等しくあり得る。いくつかの場合では、ビーム誘導システムは、検流計を含む。
本発明は、例えば、以下を提供する。
（項目１）
歯科組織の領域を除去するための方法であって、
複数の当接クレータを形成するために、レーザビームの複数のレーザパルスバーストを、前記歯科組織の領域内の個別の組織場所に、パターンで指向するステップを含み、
前記パターンは、少なくとも部分的に、前記レーザビームの幅、前記レーザビームのパルスあたりのエネルギー、および前記組織の特性に基づいて判定される、クレータサイズの関数であり、
前記当接クレータは、（ｉ）部分的に重複するクレータの対と、（ｉｉ）接線クレータの対と、（ｉｉｉ）規定された最大距離まで分離される、離間クレータの対のうちの少なくとも１つを含む、方法。
（項目２）
前記複数のレーザパルスバーストの少なくとも１つのレーザパルスバーストは、単一のレーザパルスから成る、項目１に記載の方法。
（項目３）
前記複数のレーザパルスバーストの少なくとも１つのレーザパルスバーストは、複数のレーザパルスを含む、項目１に記載の方法。
（項目４）
前記パターンは、前記複数の当接クレータの所望される平滑度の関数である、項目１に記載の方法。
（項目５）
（ｉ）部分的に重複するクレータ間の重複量と、（ｉｉ）前記規定された最大距離のうちの少なくとも１つが、前記複数の当接クレータの所望される平滑度の関数である、項目４に記載の方法。
（項目６）
前記複数のレーザパルスバーストを指向するステップは、
第１のクレータを形成するために、第１のレーザパルスバーストを、第１の組織場所に指向することと、
前記第１のクレータに当接しない第２のクレータを形成するために、次のレーザパルスバーストを、第２の組織場所に指向することと、を含む、項目１に記載の方法。
（項目７）
前記複数のレーザパルスバーストを指向するステップは、付加的な個別のクレータを形成するために、付加的なレーザパルスバーストを、付加的な個別の組織場所に指向することをさらに含み、当接クレータを形成する組織場所に指向される連続するクレータパルスバーストは、２つとしてない、項目６に記載の方法。
（項目８）
前記複数のレーザパルスバーストを指向するステップは、付加的な個別のクレータを形成するために、付加的なレーザパルスバーストを、付加的な個別の組織場所に指向することをさらに含み、連続する付加的な組織場所の任意の対間の距離は、前記第１および前記第２の組織場所間の距離の＋２５％の範囲内である、項目６に記載の方法。
（項目９）
前記当接クレータは、（ｉ）３つの部分的に重複するクレータと、（ｉｉ）３つの接線クレータと、（ｉｉｉ）規定された最大距離まで分離される、３つの離間クレータとのうちの少なくとも１つをさらに含む、項目１に記載の方法。
（項目１０）
前記クレータサイズは、所望されるアブレーション効率の関数である、項目１に記載の方法。
（項目１１）
前記アブレーション効率は、前記複数の当接クレータの体積の関数であり、かつ前記複数のレーザパルスバーストの合計エネルギーである、項目１０に記載の方法。
（項目１２）
前記所望されるアブレーション効率は、理論上の最大アブレーション効率の少なくとも５０％である、項目１１に記載の方法。
（項目１３）
歯科組織の領域を除去するための歯科レーザシステムであって、
レーザビームの複数のレーザパルスバーストを生成するための、レーザ源と、
複数の当接クレータを形成するために、前記複数のレーザパルスバーストを、前記歯科組織の領域内の個別の組織場所に、パターンで指向するように適合されるビーム誘導システムであって、前記当接クレータは、（ｉ）部分的に重複するクレータの対と、（ｉｉ）接線クレータの対と、（ｉｉｉ）規定された最大距離まで分離される、離間クレータの対とのうちの少なくとも１つを含む、システムと、
前記パターンが、少なくとも部分的に、前記レーザビームの幅、前記レーザビームのパルスあたりのエネルギー、および前記組織の特性に基づいて判定されるクレータサイズの関数であるように、前記レーザ源および前記ビーム誘導システムを制御するように適合される、コントローラと、を備える、システム。
（項目１４）
前記複数のレーザパルスバーストの少なくとも１つのレーザパルスバーストは、単一のレーザパルスから成る、項目１３に記載のシステム。
（項目１５）
前記複数のレーザパルスバーストの少なくとも１つのレーザパルスバーストは、複数のレーザパルスを含む、項目１３に記載のシステム。
（項目１６）
前記パターンは、前記複数の当接クレータの所望される平滑度の関数である、項目１３に記載のシステム。
（項目１７）
（ｉ）部分的に重複するクレータ間の重複の量と、（ｉｉ）前記規定された最大距離とのうちの少なくとも１つが、前記複数の当接クレータの所望される平滑度の関数である、項目１６に記載のシステム。
（項目１８）
前記ビーム誘導システムは、
第１のクレータを形成するために、第１のレーザパルスバーストを、第１の組織場所に指向し、
前記第１のクレータに当接しない第２のクレータを形成するために、次のレーザパルスバーストを、第２の組織場所に指向するように適合される、項目１３に記載のシステム。
（項目１９）
前記ビーム誘導システムはさらに、付加的な個別のクレータを形成するために、付加的なレーザパルスバーストを、付加的な個別の組織場所に指向するように適合され、当接クレータを形成する組織場所に指向される連続するレーザパルスバーストは、２つとしてない、項目１８に記載のシステム。
（項目２０）
前記ビーム誘導システムはさらに、付加的な個別のクレータを形成するために、付加的なレーザパルスバーストを、付加的な個別の組織場所に指向するように適合され、連続する付加的な組織場所の任意の対間の距離は、前記第１および第２の組織場所間の距離の±２５％の範囲内である、項目１８に記載のシステム。
（項目２１）
前記当接クレータは、（ｉ）３つの部分的に重複するクレータと、（ｉｉ）３つの接線クレータと、（ｉｉｉ）規定された最大距離まで分離される、３つの離間クレータとのうちの少なくとも１つをさらに含む、項目１３に記載のシステム。
（項目２２）
前記クレータサイズは、所望されるアブレーション効率の関数である、項目１３に記載のシステム。
（項目２３）
前記アブレーション効率は、前記複数の当接クレータの体積の関数であり、かつ前記複数のレーザパルスバーストの合計エネルギーである、項目２２に記載のシステム。
（項目２４）
前記所望されるアブレーション効率は、理論上の最大アブレーション効率の少なくとも５０％である、項目２３に記載のシステム。
（項目２５）
前記ビーム誘導システムは、検流計を備える、項目１３に記載のシステム。
（項目２６）
歯科組織の領域を除去するための方法であって、
第１のレーザパルスバーストを、前記歯科組織領域内の第１の組織場所に、組織場所のパターンで指向するステップと、
少なくとも１つの付加的なレーザパルスバーストを、少なくとも１つの付加的な非隣接組織場所に、前記パターンで指向するステップと、
次のレーザパルスバーストを、前記第１の組織場所に隣接する組織場所に、前記パターンで指向するステップと、を含み、
付加的な非隣接組織場所の数量は、少なくとも部分的に、（ｉ）前記歯科組織の融解に対応する熱緩和時間と、（ｉｉ）前記レーザパルスの特性とに基づいて判定される、
方法。
（項目２７）
前記第１のレーザパルスバーストの特性は、（ｉ）レーザパルス期間と、（ｉｉ）レーザパルスのオン持続時間と、（ｉｉｉ）バースト周波数と、（ｉｖ）バーストオン持続時間とから成る、群から選択される、項目２６に記載の方法。
（項目２８）
前記付加的な非隣接組織場所の数量は、１である、項目２６に記載の方法。
（項目２９）
前記付加的な非隣接組織場所の数量は、最大１０である、項目２６に記載の方法。
（項目３０）
前記第１のレーザパルスバーストおよび前記次のレーザパルスバーストのうちの少なくとも１つは、単一のレーザパルスから成る、項目２６に記載の方法。
（項目３１）
前記第１のレーザパルスバーストおよび前記次のレーザパルスバーストのうちの少なくとも１つは、複数のレーザパルスを含む、項目２６に記載の方法。
（項目３２）
前記少なくとも１つの付加的なレーザパルスバーストの合計時間は、前記熱緩和時間に略等しい、項目２６に記載の方法。
（項目３３）
歯科組織の領域を除去するための歯科レーザシステムであって、
レーザビームの複数のレーザパルスバーストを生成するためのレーザ源と、
ビーム誘導システムであって、
第１のレーザパルスバーストを、前記歯科組織の領域内の第１の組織場所に、組織場所のパターンで指向し、
少なくとも１つの付加的なレーザパルスバーストを、少なくとも１つの付加的な非隣接組織場所に、前記パターンで指向し、
次のレーザパルスバーストを、前記第１の組織場所に隣接する組織場所に、前記パターンで指向するように適合されるシステムと、を備え、付加的な非隣接組織場所の数量は、少なくとも部分的に、（ｉ）前記歯科組織の融解に対応する熱緩和時間と、（ｉｉ）前記レーザパルスの特性とに基づいて判定される、システム。
（項目３４）
前記第１のレーザパルスバーストの特性は、（ｉ）レーザパルス期間と、（ｉｉ）レーザパルスのオン持続時間と、（ｉｉｉ）バースト周波数と、（ｉｖ）バーストオン持続時間とから成る、前記群から選択される、項目３３に記載のシステム。
（項目３５）
前記付加的な非隣接組織場所の数量は、１である、項目３３に記載のシステム。
（項目３６）
前記付加的な非隣接組織場所の数量は、最大１０である、項目３３に記載のシステム。
（項目３７）
前記第１のレーザパルスバーストおよび前記次のレーザパルスバーストのうちの少なくとも１つは、単一のレーザパルスから成る、項目３３に記載のシステム。
（項目３８）
前記第１のレーザパルスバーストおよび前記次のレーザパルスバーストのうちの少なくとも１つは、複数のレーザパルスを含む、項目３３に記載のシステム。
（項目３９）
前記少なくとも１つの付加的なレーザパルスバーストの合計時間は、前記熱緩和時間に略等しい、項目３３に記載のシステム。
（項目４０）
前記ビーム誘導システムは、検流計を備える、項目３３に記載のシステム。